(57)【要約】【課題】クリップ付き携帯機器に適した保持具であって、携帯用と固定用との間の切り替えを容易にすることのできる保持具を提供する。【解決手段】保持具９は、壁１３に固定された状態で、携帯機器本体２と、この背面にビス４ａ，４ｂで取り付けられたクリップ３とを備えたクリップ付き携帯機器１を保持する。保持具９は、クリップ３が取り付けられる第１の平坦部９ａと、第１の平坦部９ａに連続して設けられるとともに、第１の平坦部９ａとのなす角度が略９０度である第２の平坦部９ｂと、壁１３に接するとともに、第２の平坦部９ｂから第１の平坦部９ａの延出方向とは逆方向に連続して設けられ、第２の平坦部９ｂとのなす角度が略９０度である第３の平坦部９ｃとを有する。そして、第１の平坦部９ａには、クリップ付き携帯機器１を取り付けたときにビス４ａ，４ｂに嵌合する孔１０ａ，１０ｂが設けられている。【選択図】図４
2007260072.tif 000002
【特許請求の範囲】
【請求項１】
壁面に固定された状態で、携帯機器本体と該携帯機器本体の背面にビスで取り付けられたクリップとを備えたクリップ付き携帯機器を保持する携帯機器用保持具であって、
前記クリップが取り付けられる第１の平坦部と、
前記第１の平坦部に連続して設けられるとともに、前記第１の平坦部とのなす角度が略９０度である第２の平坦部と、
前記壁面に接するとともに、前記第２の平坦部から前記第１の平坦部の延出方向とは逆方向に連続して設けられ、前記第２の平坦部とのなす角度が略９０度である第３の平坦部とを有し、
前記第１の平坦部には、前記クリップ付き携帯機器を取り付けたときに前記ビスに嵌合する孔が設けられていることを特徴とする携帯機器用保持具。
【請求項２】
前記孔は、前記第２の平坦部の上方向に前記クリップ付き携帯機器が位置するように設けられる請求項１に記載の携帯機器用保持具。
【請求項３】
前記孔は、前記第２の平坦部の横方向に前記クリップ付き携帯機器が位置するように設けられる請求項１に記載の携帯機器用保持具。
【請求項４】
平面に載置された状態で、携帯機器本体と該携帯機器本体の背面にビスで取り付けられたクリップとを備えたクリップ付き携帯機器を保持する携帯機器用保持具であって、
前記クリップが取り付けられる第１の平坦部と、
前記平面に接するとともに、前記第１の平坦部に連続して設けられ、前記第１の平坦部とのなす角度が９０度以下である第２の平坦部とを有し、
前記第１の平坦部には、前記クリップ付き携帯機器を取り付けたときに前記ビスに嵌合する孔が設けられていることを特徴とする携帯機器用保持具。
【請求項５】
前記携帯機器は、濃度計または検知器である請求項１〜４のいずれか１項に記載の携帯機器用保持具。
【発明の詳細な説明】
【技術分野】
【０００１】
本発明は、携帯機器用保持具に関し、より詳しくは、濃度計や検知器などの小型機器であって、携帯用のクリップが備えられた携帯機器に適した保持具に関する。
【背景技術】
【０００２】
携帯用の小型機器には、携帯電話機を始めとして様々な種類のものがある。その内、酸素などの特定のガスの濃度を測定する濃度計や、硫化水素などの有毒ガスの有無を検知する検知器などは、使用者によって携帯された状態で使用されるだけでなく、部屋に固定された状態で使用されることも多い。
【０００３】
例えば、使用者は、衣服のポケットやベルトあるいはヘルメットなどに酸素濃度計を取り付けて携帯する。そして、作業環境下における酸素濃度が所定の値より低くなると、酸素濃度計から警報が発せられるなどして使用者に注意が促される。
【０００４】
小型機器をポケット、ベルトまたはヘルメットなどに取り付けるのには、クリップが用いられることが多い。具体的には、小型機器の筐体の背面部分にビスでクリップを固定し、このクリップをポケット、ベルトまたはヘルメットに挟み付けることによって携帯可能なようにしている。
【０００５】
一方、小型機器を固定して使用する際には、小型機器に所定の固定用金具をビスで取り付け、この固定用金具を壁などに吊るした状態とすることが多い。これにより、複数の作業者に対して、作業環境下における酸素濃度などを知らせることができる。また、小型機器に表示された数値を外部から読み取り可能な位置に固定用金具を吊るしておけば、作業者が入室する前に、部屋の環境を把握することが可能となる。
【発明の開示】
【発明が解決しようとする課題】
【０００６】
しかしながら、小型機器の使用方法を携帯用から固定用へ切り替える場合において、小型機器に固定用金具を取り付けようとすると、小型機器に設けられたクリップが邪魔になるという問題があった。このため、クリップを外してから、固定用金具を取り付けなければならなかった。一方、固定用から携帯用へ切り替える場合には、小型機器から固定用金具を取り外した後に、小型機器にクリップを取り付けなければならなかった。
【０００７】
酸素濃度計や硫化水素検知器などの小型機器では、携帯用と固定用との間で使用方法の切り替えが頻繁に行われることが多い。しかし、その度にクリップや固定用金具の取り外しが必要となることから、切り替えに不便を伴うという問題があった。
【０００８】
本発明は、このような問題点に鑑みてなされたものである。すなわち、本発明の目的は、クリップ付き携帯機器に適した保持具であって、携帯用と固定用との間の切り替えを容易にすることのできる保持具を提供することにある。
【０００９】
本発明の他の目的および利点は、以下の記載から明らかとなるであろう。
【課題を解決するための手段】
【００１０】
本発明の第１の態様は、壁面に固定された状態で、携帯機器本体と該携帯機器本体の背面にビスで取り付けられたクリップとを備えたクリップ付き携帯機器を保持する携帯機器用保持具であって、
前記クリップが取り付けられる第１の平坦部と、
前記第１の平坦部に連続して設けられるとともに、前記第１の平坦部とのなす角度が略９０度である第２の平坦部と、
前記壁面に接するとともに、前記第２の平坦部から前記第１の平坦部の延出方向とは逆方向に連続して設けられ、前記第２の平坦部とのなす角度が略９０度である第３の平坦部とを有し、
前記第１の平坦部には、前記クリップ付き携帯機器を取り付けたときに前記ビスに嵌合する孔が設けられていることを特徴とするものである。
この場合、前記第２の平坦部の上方向に前記クリップ付き携帯機器が位置するように、前記孔を設けることができる。
また、前記第２の平坦部の横方向に前記クリップ付き携帯機器が位置するように、前記孔を設けることもできる。
【００１１】
本発明の第２の態様は、平面に載置された状態で、携帯機器本体と該携帯機器本体の背面にビスで取り付けられたクリップとを備えたクリップ付き携帯機器を保持する携帯機器用保持具であって、
前記クリップが取り付けられる第１の平坦部と、
前記平面に接するとともに、前記第１の平坦部に連続して設けられ、前記第１の平坦部とのなす角度が９０度以下である第２の平坦部とを有し、
前記第１の平坦部には、前記クリップ付き携帯機器を取り付けたときに前記ビスに嵌合する孔が設けられていることを特徴とするものである。
【００１２】
本発明において、前記携帯機器は、濃度計または検知器とすることができる。
【発明の効果】
【００１３】
本発明の第１の壁面に固定される態様によれば、携帯機器用保持具が、クリップが取り付けられる第１の平坦部と、この第１の平坦部に連続して設けられるとともに、第１の平坦部とのなす角度が略９０度である第２の平坦部と、壁面に接するとともに、第２の平坦部から第１の平坦部の延出方向とは逆方向に連続して設けられ、第２の平坦部とのなす角度が略９０度である第３の平坦部とを有する。したがって、クリップを外さずに、固定用の保持具に携帯機器を取り付けることができるので、携帯用と固定用との間の切り替えが容易となる。
また、第１の平坦部に、クリップ付き携帯機器を取り付けたときにビスに嵌合する孔が設けられているので、携帯機器が上下左右にずれるのを防ぐことができる。
【００１４】
本発明の第２の平面に載置される態様によれば、携帯機器用保持具が、クリップが取り付けられる第１の平坦部と、平面に接するとともに、第１の平坦部に連続して設けられ、第１の平坦部とのなす角度が９０度以下である第２の平坦部とを有する。したがって、クリップを外さずに、据え置き用の保持具に携帯機器を取り付けることができるので、携帯用と据え置き用との間の切り替えが容易となる。
また、第１の平坦部に、クリップ付き携帯機器を取り付けたときにビスに嵌合する孔が設けられているので、携帯機器が上下左右にずれるのを防ぐことができる。
【発明を実施するための最良の形態】
【００１５】
図１は、本実施の形態におけるクリップ付き携帯機器の斜視図である。携帯機器の具体例としては、酸素濃度計、一酸化炭素検知器および硫化水素検知器などを挙げることができる。さらに、一例として、新コスモス電機株式会社製の酸素濃度計ＸＯ−２０００を挙げることができる。
【００１６】
図１に示すように、クリップ付き携帯機器１は、携帯機器本体２と、携帯機器本体２の背面に取り付けられたクリップ３とを有する。クリップ３は、ビス４ａ，４ｂによって携帯機器本体２に固定されている。これにより、粘着テープや接着剤を用いた場合よりも、強固にクリップ３を固定できるので、携帯の際に、クリップ３が携帯機器本体２から剥がれることによって、携帯機器本体２が脱落してしまうのを防ぐことができる。
【００１７】
本実施の形態においては、ビス４ａ，４ｂの頭部は、携帯機器本体２の背面から突出しているものとする。ビス４ａ，４ｂの頭部が、携帯機器本体２の背面から引っ込んでいたり、背面と同一面上にあるのは好ましくない。この理由については後述する。
【００１８】
図２（ａ）は、図１に示すクリップの平面図である。クリップ３は、金属または樹脂からなるものとすることができる。例えば、帯状の金属に対して折り曲げ加工を施すことによって、クリップ３を一体的に成形することができる。
【００１９】
図１および図２（ａ）に示すように、幅広のクリップ３は、平坦部５と曲折部６からなる。また、曲折部６は、平坦部５に連なる第１の曲折部６ａと、第１の曲折部６ａに連なる第２の曲折部６ｂとからなる。平坦部５は、携帯機器本体２の背面に沿う形状である。また、曲折部６は、第１の曲折部６ａおよび第２の曲折部６ｂが滑らかな曲線を描いて連続した形状となっている。
【００２０】
図２（ａ）に示すように、平坦部５には２つの孔７ａ，７ｂが設けられている。そして、これらの孔７ａ，７ｂに通したビス４ａ，４ｂを携帯機器本体２に固定することによって、クリップ３を携帯機器本体２に取り付けることができる。
【００２１】
図１に示すように、第１の曲折部６ａは、平坦部５から浮いている。一方、第２の曲折部６ｂは、弾性によって平坦部５に当接している。したがって、曲折部６を洋服のポケット（図示せず）に差し込むと、平坦部５と曲折部６の間にポケット布が挟まれ、第２の曲折部６ｂの弾性によってポケット布が押圧されるので、ポケットにクリップ付き携帯機器１を取り付けることが可能となる。
【００２２】
図２（ｂ）および図２（ｃ）は、本実施の形態におけるクリップの変形例である。
【００２３】
図２（ｂ）に示すク幅広のリップ３０１において、平坦部５０１および曲折部６０１は、図２（ａ）のクリップ３と同様の形状である。しかしながら、図２（ｂ）では、平坦部５０１の曲折部６０１と重なる位置に、点線で示す孔７０１が１つ設けられている。そして、孔７０１に通したビスを携帯機器本体に固定することによって、クリップ３０１が携帯機器本体に取り付けられる。
【００２４】
図２（ｃ）に示す幅広のクリップ３０２において、平坦部５０２は、図１（ａ）と同様の形状である。また、平坦部５０２に設けられた２つの孔７０２ａ，７０２ｂを用いて、携帯機器本体にクリップ３０２を取り付ける点も、図１（ａ）の例と同様である。しかしながら、図２（ｃ）の例では、曲折部６０２にＵ字状のスリット８が設けられている。
【００２５】
例えば、ポケットの中が仕切られていて、図２（ａ）や（ｂ）のクリップを差し込めるだけの幅がない場合には、図２（ｃ）のクリップで対応できる。すなわち、スリット８の左右にある曲折部６０２を、ポケットの中の空間に別々に差し込むことにより、携帯機器をポケットに取り付けることが可能となる。
【００２６】
尚、上記例では、クリップ付き携帯機器をポケットに取り付ける例について述べた。しかし、本発明はこれに限られるものではなく、ベルトまたはヘルメットなどにクリップ付き携帯機器を取り付けてもよい。
【００２７】
次に、本実施の形態における携帯機器用保持具について説明する。尚、以下の記載では、携帯機器用保持具を単に保持具と称する場合がある。
【００２８】
本実施の形態における保持具は、機械的強度を有するとともに成形の容易な材料からなることが好ましい。具体的には、アルミニウムなどの金属の他に、樹脂などによっても形成することができる。
【００２９】
図３は、本実施の形態における保持具の斜視図である。この図に示すように、保持具９は、連接する３つの平坦部からなる。これらの平坦部は、帯状の部材を折り曲げ加工することにより一体的に成形することができる。すなわち、帯状の部材を、その端部から所定の長さＬ１のところで９０度折り曲げる。次いで、折り曲げた箇所から所定の長さＬ２のところで、さらに９０度折り曲げる。１度目の折り曲げによって、第１の平坦部９ａが形成される。そして、２度目の折り曲げによって、第２の平坦部９ｂと第３の平坦部９ｃが形成される。ここで、第１の平坦部９ａと第３の平坦部９ｃは、第２の平坦部９ｂから互いに逆方向に延出している。尚、上記の折り曲げ角度は、９０度に限られるものではなく、例えば、９０度から多少ずれていても差し支えない。
【００３０】
第１の平坦部９ａは、クリップ付き携帯機器が取り付けられる部分である。すなわち、クリップ付き携帯機器に設けられたクリップで第１の平坦部９ａを挟み込むことにより、保持具９にクリップ付き携帯機器を取り付けることができる。したがって、上記の長さＬ１は、クリップ付き携帯機器が取り付けられるのに十分な長さであればよい。
【００３１】
また、第１の平坦部９ａには、２つの孔１０ａ，１０ｂが設けられている。これらの孔１０ａ，１０ｂは、クリップの曲折部の折れ曲がり部位に、第１の平坦部の一端辺が当接するように、保持具にクリップ付き携帯機器を取り付けたときに、クリップを携帯機器の本体に固定している２つのビスが嵌合する位置に設けられる。
【００３２】
例えば、図１のクリップ付き携帯機器１のクリップ３を第１の平坦部９ａに差し込むと、クリップの曲折部の折れ曲がり部位に、第１の平坦部の一端辺が当接し、孔１０ａ，１０ｂからビス４ａ，４ｂの頭が顔を出す構成となる。これにより、クリップ３とビス４ａ，４ｂによってクリップ付き携帯機器１が第１の平坦部９ａに３点支持で固定されるので、クリップ付き携帯機器１が上下左右にずれるのを防ぐことができる。尚、ビス４ａ，４ｂの頭部が、携帯機器本体２の背面から引っ込んでいたり、背面と同一面上にあると、孔１０ａ，１０ｂによってビス４ａ，４ｂを固定することができない。したがって、上述したように、ビス４ａ，４ｂの頭部は、携帯機器本体２の背面から突出しているものとする。
【００３３】
尚、図３の保持具に、図２（ｃ）のクリップ３０２を有するクリップ付き携帯機器を取り付ける場合も上記と同様である。一方、図２（ｂ）のクリップ３０１を有するクリップ付き携帯機器を取り付ける場合には、第１の平坦部９ａに設けられる孔は１つでよい。この場合、クリップ３０１とビスによって、クリップ付き携帯機器が第１の平坦部に２点支持で固定されるので、クリップ付き携帯機器が上下左右にずれるのを防ぐことができる。
【００３４】
第３の平坦部９ｃは、壁に取り付けられる部分である。すなわち、第３の平坦部は、壁面に接する部分であるので、壁面に沿う形状となるようにする。
【００３５】
第３の平坦部９ｃに設けられた孔１１ａ，１１ｂにビス（図示せず)を通して壁に取り付けることにより、保持具９を部屋の所定位置に固定することができる。したがって、第３の平坦部９ｃの長さＬ３は、保持具９にクリップ付き携帯機器が取り付けられたときの重心を考慮して決めるのがよい。長さＬ３が短くなりすぎると、重心が上方に移動して、保持具９が壁から脱落するおそれが高くなる。
【００３６】
図４は、窓１２が設けられた壁１３に、図３の保持具９をビス１６で取り付け、さらに、保持具９に、図１のクリップ付き携帯機器１を取り付けた例である。クリップ付き携帯機器１、保持具９および壁１３の位置関係を図４のようにすることによって、使用者は、クリップ付き携帯機器１に表示された数値を、窓１２の外から読み取ることができる。したがって、予め部屋の環境を把握してから入室することができる。
【００３７】
図４の例では、第２の平坦部９ｂの上方に、クリップ付き携帯機器１の携帯機器本体２が位置している。したがって、上記の長さＬ２は、壁１３と第１の平坦部９ａの間に、携帯機器本体２が収まる長さとする必要がある。但し、長さＬ２が長すぎると、窓１２からの距離が遠くなるために、使用者にとって数値を読むのが困難となる。さらに、壁１３からの出っ張りが大きくなるので、作業や通行の妨げとなるおそれもある。
【００３８】
図５は、保持具９の取り付け方の変形例である。この例では、壁１４に窓が設けられていない場合を想定している。この取り付け方によれば、使用者は、クリップ付き携帯機器１に表示された数値を部屋の内部で読み取ることになる。そして、作業中に酸素濃度が低下するなどして警報が発せられた場合には、速やかに部屋の外に出るなどの措置が採られる。
【００３９】
図５における保持具９の取り付け方は、図４と同様であり、ビス１７によって壁１４に取り付けられる。しかし、クリップ付き携帯機器１の保持具９への取り付け方は、図４と異なっている。より詳しくは、保持具９の第１の平坦部９ａにクリップ３を挟み込む点では、図４の例と同様である。しかしながら、第２の平坦部９ｂの上方に携帯機器本体２が位置しない点で、図４の例と相違する。したがって、この場合には、長さＬ２は、壁１４と第１の平坦部９ａの間にクリップ３が収まる長さであればよい。
【００４０】
尚、図３〜図５の例では、保持具９の第１の平坦部９ａと第３の平坦部９ｃとを、互いに平行な位置関係としている。しかしながら、本発明はこれに限られるものではない。例えば、表示された数値を読み取り易くするために、使用者から見て、クリップ付き携帯機器１が上方または下方に向くように第１の平坦部９ａを傾けることも可能である。
【００４１】
図６は、本実施の形態における保持具の変形例である。この図の例では、保持具９０１の全体的な形状は、図３の例と同様である。しかしながら、第１の平坦部９０１ａと第３の平坦部９０１ｃに設ける孔１００１ａ，１００１ｂ，１１０１ａ，１１０１ｂの位置が、図３の例とはそれぞれ異なっている。すなわち、図３では、第２の平坦部９ｂの上方に、クリップ付き携帯機器が設置された。これに対して、図６では、第２の平坦部９ｂの横方向に、クリップ付き携帯機器が設置されることになる。
【００４２】
図７は、本実施の形態における保持具の他の変形例である。図３および図６の例では、壁に固定して使用するものであった。これに対して、図７は、机の上などの平面に載置した状態で使用することができる。
【００４３】
図７に示すように、保持具９０２は、連接する２つの平坦部からなる。これらの平坦部は、帯状の部材を折り曲げ加工することにより一体的に成形することができる。すなわち、帯状の部材を、その端部から所定の長さＬ４のところで折り曲げる。折り曲げの角度θは、９０度以下とする。具体的には、使用者の視角方向に応じて適宜選択することができるが、例えば、θ＝４５度とすることができる。
【００４４】
上記のような折り曲げ加工を行うことによって、第１の平坦部９０２ａおよび第２の平坦部９０２ｂを形成することができる。
【００４５】
第１の平坦部９０２ａは、クリップ付き携帯機器が取り付けられる部分である。すなわち、クリップ付き携帯機器に設けられたクリップで第１の平坦部９０２ａを挟み込むことにより、保持具９０２にクリップ付き携帯機器を取り付けることができる。したがって、上記の長さＬ４は、クリップ付き携帯機器が取り付けられるのに十分な長さであればよい。
【００４６】
また、第１の平坦部９０２ａには、２つの孔１００２ａ，１００２ｂが設けられている。これらの孔１００２ａ，１００２ｂは、クリップの曲折部の折れ曲がり部位に、第１の平坦部の一端辺が当接するように、保持具にクリップ付き携帯機器を取り付けたときに、クリップを携帯機器の本体に固定している２つのビスが嵌合する位置に設けられる。
【００４７】
例えば、図１のクリップ付き携帯機器１のクリップ３を第１の平坦部９０２ａに差し込むと、孔１００２ａ，１００２ｂからビス４ａ，４ｂの頭が顔を出す構成となる。これにより、クリップ３とビス４ａ，４ｂによってクリップ付き携帯機器１が第１の平坦部９０２ａに３点支持で固定されるので、クリップ付き携帯機器１が上下左右にずれるのを防ぐことができる。尚、ビス４ａ，４ｂの頭部が、携帯機器本体２の背面から引っ込んでいたり、背面と同一面上にあると、孔１００２ａ，１００２ｂによってビス４ａ，４ｂを固定することができない。したがって、上述したように、ビス４ａ，４ｂの頭部は、携帯機器本体２の背面から突出しているものとする。
【００４８】
尚、図７の保持具９０２に、図２（ｃ）のクリップ３０２を有するクリップ付き携帯機器を取り付ける場合も上記と同様である。一方、図２（ｂ）のクリップ３０１を有するクリップ付き携帯機器を取り付ける場合には、第１の平坦部９０２ａに設ける孔は１つでよい。この場合、クリップ３０１とビスによって、クリップ付き携帯機器が第１の平坦部に２点支持で固定されるので、クリップ付き携帯機器が上下左右にずれるのを防ぐことができる。
【００４９】
第２の平坦部９０２ｂは、机などの表面に接触する部分である。したがって、第２の平坦部９０２ｂは、この表面に沿う形状とする。
【００５０】
第２の平坦部９０２ｂの長さＬ５は、保持具９０２にクリップ付き携帯機器が取り付けられたときの重心を考慮して決めるのがよい。第２の平坦部９０２ｂの長さが短くなりすぎると、重心が上方に移動して、保持具９０２が倒れるおそれが高くなる。
【００５１】
図８は、図１のクリップ付き携帯機器１が取り付けられた保持具９０２を、机１５の上に載置した例である。この図に示すように、クリップ付き携帯機器１は、第１の平坦部９０２ａの第２の平坦面９０２ｂに対向する面とは反対の面の側に携帯機器本体２が位置するようにして、保持具９０２に取り付けられる。クリップ付き携帯機器１、保持具９０２および机１５の位置関係をこの図のようにすることによって、使用者は、机に向かいながら、クリップ付き携帯機器１に表示された数値を容易に読み取ることができる。また、使用者の移動とともに、保持具９０２を移動させることにより、常に使用者の近くの環境の変化を把握することが可能となる。
【００５２】
以上述べたように、本発明の携帯機器用保持具によれば、クリップを外さずに保持具に携帯機器を取り付けることができるので、携帯用と固定用（または、据え置き用）との間の切り替えを容易にすることができる。また、第１の平坦部に、クリップ付き携帯機器を取り付けたときにビスに嵌合する孔が設けられているので、携帯機器が上下左右にずれるのを防ぐことができる。特に、幅広のクリップにおいて、ずれ防止の効果が発揮される。
【００５３】
尚、本発明は上記実施の形態に限定されるものではなく、本発明の趣旨を逸脱しない範囲内において、種々変形して実施することができる。
【図面の簡単な説明】
【００５４】
【図１】本実施の形態におけるクリップ付き携帯機器の斜視図である。
【図２】（ａ）〜（ｃ）は、本実施の形態におけるクリップの平面図である。
【図３】本実施の形態における携帯機器用保持具の斜視図である。
【図４】本実施の形態におけるクリップ付き携帯機器および携帯機器用保持具を壁面に取り付けた例である。
【図５】本実施の形態におけるクリップ付き携帯機器および携帯機器用保持具を壁面に取り付けた他の例である。
【図６】本実施の形態における携帯機器用保持具の斜視図である。
【図７】本実施の形態における携帯機器用保持具の斜視図である。
【図８】図７の携帯機器用保持具にクリップ付き携帯機器を取り付けた例である。
【符号の説明】
【００５５】
１  クリップ付き携帯機器
２  クリップ付き携帯機器本体
３  クリップ
４ａ，４ｂ，１６，１７  ビス
５，５０１，５０２  平坦部
６，６０１，６０２  曲折部
７ａ，７ｂ，１０ａ，１０ｂ，１１ａ，１１ｂ，７０１，７０２ａ，７０２ｂ，１００１ａ，１００１ｂ，１００２ａ，１００２ｂ，１１０１ａ，１１０１ｂ  孔
８  スリット
９，９０１，９０２  保持具
１２  窓
１３，１４  壁
１５  机
【図１】
2007260072.tif 000003
【図２】
2007260072.tif 000004
【図３】
2007260072.tif 000005
【図４】
2007260072.tif 000006
【図５】
2007260072.tif 000007
【図６】
2007260072.tif 000008
【図７】
2007260072.tif 000009
【図８】
2007260072.tif 000010